(57)【特許請求の範囲】
【請求項１】
遊技媒体の投入により遊技が開始可能となり、投入口より投入された遊技媒体数の計数を行う遊技機において、
前記投入口の下流には、投入された遊技媒体数を検出する第1検出手段を設け、
前記第1検出手段の下流には、投入された遊技媒体を滞留させるとともに、該第1検出手段により検出された遊技媒体数に基づいて、投入された遊技媒体を下流に搬送する搬送手段が設けられ、
前記搬送手段の下流には、該搬送手段により搬送された遊技媒体数を検出する第２検出手段を設け、
前記第1検出手段からの信号に基づいて、前記投入口から投入された遊技媒体数を計数するとともに、前記第２検出手段からの信号に基づいて、前記搬送手段により搬送された遊技媒体数を計数し、両遊技媒体数の照合を行う照合手段が設けられ、
前記照合手段による照合により、前記第1検出手段により検出された遊技媒体数と、前記第２検出手段により検出された遊技媒体数とが不一致と判断された場合に、エラー信号を発するエラー信号発生手段を備えたことを特徴とする遊技機。
【請求項２】
前記搬送手段は、遊技媒体を一枚毎に下流に搬送する回転体と、前記回転体を駆動させるためのモータとからなる回転搬送装置であることを特徴とする請求項１に記載の遊技機。
【請求項３】
前記第1検出手段からの信号に基づいて、当該検出された遊技媒体数がクレジット枚数へ加算されることを特徴とする請求項１又は２に記載の遊技機。
【請求項４】
前記第1検出手段が遊技媒体の投入を検知したことに基づき、前記搬送手段が始動することを特徴とする請求項１、２又は３に記載の遊技機。
【請求項５】
遊技媒体の投入により遊技が開始可能となり、投入口より投入された遊技媒体数の計数を行う遊技機において、
前記投入口の下流には、投入された遊技媒体数を検出する第1検出手段を設け、
前記第1検出手段の下流には、投入された遊技媒体を滞留させるとともに、該第1検出手段により検出された遊技媒体数に基づいて、投入された遊技媒体を下流に搬送する搬送手段が設けられ、
前記搬送手段の下流には、該搬送手段により搬送された遊技媒体数を検出する第２検出手段を設け、
前記第1検出手段からの信号に基づいて、前記投入口から投入された遊技媒体数を計数するとともに、前記第２検出手段からの信号に基づいて、前記搬送手段により搬送された遊技媒体数を計数し、両遊技媒体数の照合を行う照合手段が設けられ、
前記照合手段による照合により、前記第1検出手段により検出された遊技媒体数と、前記第２検出手段により検出された遊技媒体数とが不一致と判断された場合に、遊技進行を停止させることを特徴とする遊技機。
【請求項６】
遊技媒体の投入により遊技が開始可能となり、投入口より投入された遊技媒体数の計数を行う遊技機において、
前記投入口の下流には、投入された遊技媒体数を検出する第1検出手段を設け、
前記第1検出手段の下流には、投入された遊技媒体を滞留させるとともに、該第1検出手段により検出された遊技媒体数に基づいて、投入された遊技媒体の下流への移動を許可する許可手段が設けられ、
前記許可手段の下流には、該許可手段により移動を許可された遊技媒体数を検出する第２検出手段を設け、
前記第1検出手段からの信号に基づいて、前記投入口から投入された遊技媒体数を計数するとともに、前記第２検出手段からの信号に基づいて、前記許可手段により移動を許可された遊技媒体数を計数し、両遊技媒体数の照合を行う照合手段が設けられ、
前記照合手段による照合により、前記第1検出手段により検出された遊技媒体数と、前記第２検出手段により検出された遊技媒体数とが不一致と判断された場合に、エラー信号を発するエラー信号発生手段を備えたことを特徴とする遊技機。
【請求項７】
遊技媒体の投入により遊技が開始可能となり、投入口より投入された遊技媒体数の計数を行う遊技機において、
前記投入口の下流には、投入された遊技媒体数を検出する第1検出手段を設け、
前記第1検出手段の下流には、投入された遊技媒体を滞留させるとともに、該第1検出手段により検出された遊技媒体数に基づいて、投入された遊技媒体の下流への移動を許可する許可手段が設けられ、
前記許可手段の下流には、該許可手段により移動を許可された遊技媒体数を検出する第２検出手段を設け、
前記第1検出手段からの信号に基づいて、前記投入口から投入された遊技媒体数を計数するとともに、前記第２検出手段からの信号に基づいて、前記許可手段により移動を許可された遊技媒体数を計数し、両遊技媒体数の照合を行う照合手段が設けられ、
前記照合手段による照合により、前記第1検出手段により検出された遊技媒体数と、前記第２検出手段により検出された遊技媒体数とが不一致と判断された場合に、遊技進行を停止させることを特徴とする遊技機。
【発明の詳細な説明】
【技術分野】
【０００１】
本発明は、メダルの投入等に関する不正行為を防止可能な遊技機に関するものである。
【背景技術】
【０００２】
現在のスロットマシン等の遊技機においては、コンピュータによる遊技管理が行われており、大当たり状態（特賞）に対する興味が遊技指向を高めている。その反面、短時間で特賞が多数回続くと、きわめて大きい利益を得ることができるために、各種の不正行為が行われる。
また、スロットマシン等の遊技機においては、遊技を開始すべく遊技媒体としてのメダルを投入するためのメダル投入口が設けられており、このメダル投入口からメダルの投入等に関する不正行為（ゴト）が横行している。
【０００３】
その一つには、メダル識別機に対する「メダルセレクターゴト」である。これは、各種の手段により、一旦メダルを投入し、正規のものとして遊技機側に認識させた後、当該メダルを引き抜いて次の投入を行なう、あるいはメダルの投入通路に設けたメダル検知センサーに対して介入し、その通過信号を不正に動作させるなどの手法があると言われている。
また、細長い板状部材の先端部に発光体を取り付けた不正器具を、メダル投入口から差し込み、発光体をメダル検知センサーの位置に合わせてメダルの通過によるタイミングと同じように点滅させることで、メダルを擬似的に投入するというさらに悪質な手法が行われている。
【０００４】
上記不正行為対策として、下記特許文献１によれば、メダル投入口に投入されたメダルがメダル検知センサーに到達する前に、回転ディスクという物理的な障害を設けたことで、メダルセレクターゴトに対しては、回転ディスクの回転により糸を切断でき、細長い板状部材の先端部に発光体を取り付けた不正器具を用いた不正行為に対しては、回転ディスクの回転により不正器具を破壊することで、上述のような不正行為を防止する技術が開示されている。
【先行技術文献】
【特許文献】
【０００５】
【特許文献１】特開２００８−１７９９０号公報
【発明の概要】
【発明が解決しようとする課題】
【０００６】
本発明は、上記特許文献１の技術を改良したものであり、従来のセレクターの構成を用いた上で、さらに不正行為の検出精度が増した検出装置を備えた遊技機を提供することを課題とする。
【課題を解決するための手段】
【０００７】
上記課題を解決するために、本発明は、以下のような構成を備える。
（第１の発明）
本発明のうち第１の発明に係る遊技機10は、遊技媒体の投入により遊技が開始可能となり、投入口より投入された遊技媒体数の計数を行う遊技機10において、前記投入口の下流には、投入された遊技媒体数を検出する第1検出手段92を設け、前記第1検出手段92の下流には、投入された遊技媒体を滞留させるとともに、該第1検出手段92により検出された遊技媒体数に基づいて、投入された遊技媒体を下流に搬送する搬送手段90が設けられ、前記搬送手段90の下流には、該搬送手段90により搬送された遊技媒体数を検出する第２検出手段94を設け、前記第1検出手段92からの信号に基づいて、前記投入口から投入された遊技媒体数を計数するとともに、前記第２検出手段94からの信号に基づいて、前記搬送手段90により搬送された遊技媒体数を計数し、両遊技媒体数の照合を行う照合手段150が設けられ、前記照合手段150による照合により、前記第1検出手段92により検出された遊技媒体数と、前記第２検出手段94により検出された遊技媒体数とが不一致と判断された場合に、エラー信号を発するエラー信号発生手段160を備えたことを特徴とする。
【０００８】
ここで、「滞留」とは、搬送手段90内に遊技媒体が残存すること及び一時的に保持されることの双方の意味を有するものとする。
（第２の発明）
本発明のうち第２の発明に係る遊技機10は、前記した第１の発明の特徴に加え、前記搬送手段90は、遊技媒体を一枚毎に下流に搬送する回転体と、前記回転体を駆動させるためのモータ214とからなる回転搬送装置であることを特徴とする。
ここで、「回転体」とは、たとえば、円板状の部材から形成され、第1検出手段92を通過した遊技媒体をその回転により、上流から下流に搬送するためのものである。
【０００９】
（第３の発明）
本発明のうち第３の発明に係る遊技機10は、前記した第１、第２の発明の特徴に加え、前記第1検出手段92からの信号に基づいて、当該検出された遊技媒体数がクレジット枚数へ加算されることを特徴とする。
（第４の発明）
本発明のうち第４の発明に係る遊技機10は、前記した第１、第２、第３の発明の特徴に加え、前記第1検出手段92が遊技媒体の投入を検知したことに基づき、前記搬送手段90が始動することを特徴とする。
【００１０】
（第５の発明）
本発明のうち第５の発明に係る遊技機10は、遊技媒体の投入により遊技が開始可能となり、投入口より投入された遊技媒体数の計数を行う遊技機10において、前記投入口の下流には、投入された遊技媒体数を検出する第1検出手段92を設け、前記第1検出手段92の下流には、投入された遊技媒体を滞留させるとともに、該第1検出手段92により検出された遊技媒体数に基づいて、投入された遊技媒体を下流に搬送する搬送手段90が設けられ、前記搬送手段90の下流には、該搬送手段90により搬送された遊技媒体数を検出する第２検出手段94を設け、前記第1検出手段92からの信号に基づいて、前記投入口から投入された遊技媒体数を計数するとともに、前記第２検出手段94からの信号に基づいて、前記搬送手段90により搬送された遊技媒体数を計数し、両遊技媒体数の照合を行う照合手段150が設けられ、前記照合手段150による照合により、前記第1検出手段92により検出された遊技媒体数と、前記第２検出手段94により検出された遊技媒体数とが不一致と判断された場合に、遊技進行を停止させることを特徴とする。
（第６の発明）
本発明のうち第６の発明に係る遊技機10は、遊技媒体の投入により遊技が開始可能となり、投入口より投入された遊技媒体数の計数を行う遊技機10において、前記投入口の下流には、投入された遊技媒体数を検出する第1検出手段92を設け、前記第1検出手段92の下流には、投入された遊技媒体を滞留させるとともに、該第1検出手段92により検出された遊技媒体数に基づいて、投入された遊技媒体の下流への移動を許可する許可手段220が設けられ、前記許可手段220の下流には、該許可手段220により移動を許可された遊技媒体数を検出する第２検出手段94を設け、前記第1検出手段92からの信号に基づいて、前記投入口から投入された遊技媒体数を計数するとともに、前記第２検出手段94からの信号に基づいて、前記許可手段220により移動を許可された遊技媒体数を計数し、両遊技媒体数の照合を行う照合手段150が設けられ、前記照合手段150による照合により、前記第1検出手段92により検出された遊技媒体数と、前記第２検出手段94により検出された遊技媒体数とが不一致と判断された場合に、エラー信号を発するエラー信号発生手段160を備えたことを特徴とする。
（第７の発明）
本発明のうち第７の発明に係る遊技機10は、遊技媒体の投入により遊技が開始可能となり、投入口より投入された遊技媒体数の計数を行う遊技機10において、前記投入口の下流には、投入された遊技媒体数を検出する第1検出手段92を設け、前記第1検出手段92の下流には、投入された遊技媒体を滞留させるとともに、該第1検出手段92により検出された遊技媒体数に基づいて、投入された遊技媒体の下流への移動を許可する許可手段220が設けられ、前記許可手段の下流には、該許可手段220により移動を許可された遊技媒体数を検出する第２検出手段94を設け、前記第1検出手段92からの信号に基づいて、前記投入口から投入された遊技媒体数を計数するとともに、前記第２検出手段94からの信号に基づいて、前記許可手段220により移動を許可された遊技媒体数を計数し、両遊技媒体数の照合を行う照合手段150が設けられ、前記照合手段150による照合により、前記第1検出手段92により検出された遊技媒体数と、前記第２検出手段94により検出された遊技媒体数とが不一致と判断された場合に、遊技進行を停止させることを特徴とする。
【発明の効果】
【００１１】
本発明は、以上のように構成されているので、以下の効果を奏する。
（第１の発明の効果）
第１の発明によれば、不正器具に対する物理的障害となる搬送手段の上流に第1検出手段を設け、さらに搬送手段の下流に第２検出手段を設けたため、２段階の検出手段の採用により、不正器具の検出精度が増すこととなるとともに、この不正器具を破壊することも可能となる。すなわち、ＦＰＣ（Flexible printed circuits）のような不正器具であれば、搬送手段がこれを絡め取ることで破壊できる。また、メダル型不正器具であれば、搬送手段により糸等を切断することで破壊でき、かつ、遊技店が破壊した不正器具（証拠）を回収することができることとなる。
【００１２】
（第２の発明の効果）
第２の発明によれば、搬送手段は回転搬送装置であるため、後続する遊技媒体の詰まりを発生させることなく、円滑に遊技媒体を上流から下流に搬送させることができる。
（第３の発明の効果）
第３の発明によれば、第1検出手段が遊技媒体数を検出した際に、その数がクレジット枚数へ加算されるため、遊技者がタイムラグに憤りを覚えることがない上で、搬送手段を挟んで上流に第1検出手段、下流に第２検出手段を設ける構成を採用できるので、遊技者にも配慮しつつ不正器具の検出精度が高い遊技機を提供することができる。
【００１３】
（第４の発明の効果）
第４の発明によれば、第1検出手段が遊技媒体の投入を検知したことに基づき、搬送手段が始動することにより、迅速に照合手段が第1検出手段と第２検出手段との計数を照合することができ、早期の不正行為の発見に寄与することで遊技店の被害を軽減させることができる。
（第５の発明の効果）
第５の発明によれば、照合手段により第1検出手段と第２検出手段とにより検出された遊技媒体数が不一致と判断された場合に遊技進行を停止させるため、遊技店の被害を最小限にすることができる。
【００１４】
（第６の発明の効果）
第６の発明によれば、不正器具に対する物理的障害となる許可手段の上流に第1検出手段を設け、さらに許可手段の下流に第２検出手段を設けたため、２段階の検出手段の採用により、不正器具の検出精度が増すこととなるとともに、この不正器具を破壊することも可能な遊技機を提供することができる。
（第７の発明の効果）
第７の発明によれば、照合手段により第1検出手段と第２検出手段とにより検出された遊技媒体数が不一致と判断された場合に遊技進行を停止させるため、遊技店の被害を最小限にすることができる。
【図面の簡単な説明】
【００１５】
【図１】本発明の実施の形態であって、遊技機の概略正面図である。
【図２】本発明の実施の形態であって、遊技機の入力、制御及び出力を示すブロック図である。
【図３】本発明の第1の実施の形態であって、メダルの搬送方法を示す概要図である。
【図４】本発明の第1の実施の形態であって、メダルの搬送方法を示す概要図である。
【図５】本発明の第1の実施の形態であって、メダルの搬送方法を示す概要図である。
【図６】本発明の第1の実施の形態であって、メダルの搬送方法を示す概要図である。
【図７】本発明の第1の実施の形態であって、メダルの搬送方法を示す概要図である。
【図８】本発明の第1の実施の形態であって、メダルの滞留状態を示す概要図である。
【図９】本発明の第２の実施の形態であって、メダルの搬送方法を示す概要図である。
【図１０】本発明の変形例であって、メダルの搬送方法を示す概要図である。
【図１１】本発明の変形例であって、メダルの搬送方法を示す概要図である。
【図１２】本発明の実施の形態であって、第1検出手段及び第２検出手段による検出処理を説明するためのフローチャートである。
【図１３】本発明の実施の形態であって、照合手段及びエラー信号発生手段による検出メダル照合処理を説明するためのフローチャートである。
【発明を実施するための最良の形態】
【００１６】
（第１の実施の形態）
（遊技機10）
本明細書では、各説明箇所において、方向についての定義等が示されていない場合には、遊技機10の方を向いて位置している遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
【００１７】
本実施の形態に係るスロットマシン等の遊技機10を、以下、図１を参照しながら説明する。
（筐体12、前扉14）
本実施の形態に係る遊技機10は、前方向に向かって開口する正面開口を有する四角箱状の筐体12と、この筐体12の正面開口を開閉自在に覆う前扉14とを備えている。
（回転リール62）
前扉14の上部には、薄板樹脂からなる上パネル20を備えている。この上パネル20の略中央には、３個の回転リール62が形成されている。
【００１８】
（リールユニット60）
前記回転リール62の後方向（奥方向）には、３個の回転リール62をそれぞれ回転させるための３個の駆動モータ（図示せず）と、前記駆動モータ及び前記回転リール62を保持するユニットホルダ（図示せず）とを有するリールユニット60が配置されている。
（クレジット表示器85）
前記回転リール62の下方には、クレジットメダルの貯留枚数を表示するクレジット表示器85が設けられている。このクレジット表示器85は、例えば２個の７セグメントＬＥＤで構成されており、その画面には２桁のクレジット枚数（最大で５０枚）が表示可能になっている。
【００１９】
（演出装置70）
前記前扉14には、遊技者に役抽選の当選等の種々の情報を音や光や映像等で報知させる演出装置70が形成されている。この演出装置70は、前扉14に配置されているものであって、スピーカー72と、表示装置84と、演出用ランプ78とを備えている。
（スピーカー72）
前記スピーカー72は、前扉14の上部左右に配置された上部スピーカー74と、前扉14の下部左右に配置された下部スピーカー76とを備えている。
【００２０】
（表示装置84）
前記表示装置84は、その画面に種々の映像を表示するための表示デバイスであり、動画を含んだ映像の表示を行うための液晶表示装置を有する演出ユニットを構成するものである。
（演出用ランプ78）
前記演出用ランプ78は、前扉14の上部に配置された上部ランプ80と、前扉14の下部の左右に配置された下部ランプ82とを備えている。
【００２１】
（操作部30）
前記前扉14の下部には下パネル22が設けられている。そして、前扉14には下パネル22の上に位置して前扉14の前方向へ向けて突出する操作部30を備えている。
本実施の形態に係る遊技機10には、遊技開始の条件としてメダル投入口38からあらかじめ遊技媒体としてのメダルＭを投入して、最大５０枚までクレジットメダルとして内部に貯留可能なクレジット機能（投入枚数を電子データとして電子的に記憶し管理する機能）を有している。ここで、図３〜図８に示すように、本実施の形態に係る遊技機10では、メダル投入口38からメダルＭが投入されると、メダル通路200に進入し、後述する搬送手段90を介して上流から下流にメダルＭが搬送される構成となっている。また、図３〜図８に示すメダル通路200は、後述する搬送手段90を挟んで上流と下流とに分離されており、上流側の第１通路202と下流側の第２通路204とから構成されている。
【００２２】
なお、上記クレジットメダルとして貯留可能な最大枚数である５０枚を最大クレジットメダル数とする。
（精算スイッチ36）
前記メダル投入口38の下には、クレジット機能によりクレジットしたメダルＭの全てを払い出すための精算スイッチ36が設けられている。
（ストップスイッチ50）
この精算スイッチ36の左側には、操作により対応する回転リール62の回転を停止させるため、３個の回転リール62のそれぞれに対応する３個のストップスイッチ50が設けられている。すなわち、これらのストップスイッチ50は、各回転リール62それぞれに対応して設けられ、各回転リール62の図柄61の変動表示の開始後、遊技者の操作により回転リール62の図柄61の変動表示を個別に停止させるためのものである。
【００２３】
（スタートスイッチ40）
このストップスイッチ50の左側には、メダルＭの投入又は後述するマックスベットスイッチ34の操作を条件に回転リール62の回転を開始させるためのスタートスイッチ40が設けられている。すなわち、このスタートスイッチ40は、遊技者の操作により回転リール62の図柄61の変動表示を開始させるためのものである。
（マックスベットスイッチ34）
このスタートスイッチ40の上には、クレジットしたメダル数から最大投入枚数（具体的には３枚）に達するまで投入可能なメダル数を減じて３枚のメダル投入に代えるマックスベットスイッチ34が設けられている。
【００２４】
（貯留払出手段24等）
前記前扉14の下部の後方向（奥方向）には、いわゆるホッパーユニットであって、メダルＭを貯留することができるとともに、メダルＭを払い出すことができる貯留払出手段24（図２参照。）と、電源投入又は電源遮断のための操作が可能な電源スイッチを有すると共に各部品に電力を供給するための電源装置（図示せず）とが配置されている。
（メダル払出口28等）
前記前扉14の下部には、所定の場合に貯留払出手段24からメダルＭが払い出されるメダル払出口28が形成されている。このメダル払出口28の下方には、メダル払出口28から払い出されたメダルＭを貯留するため、上方に向かって開口する皿状のメダル受け皿26が形成されている。なお、クレジットされているメダル数が最大クレジットメダル数である５０枚未満の場合は、５０枚に到達するまで、獲得したメダルＭはメダル払出口28から払い出されずにクレジットメダルの枚数に加算される。
【００２５】
（制御装置100）
図２に示す、制御装置100は、遊技機10を制御するためのものである。この制御装置100は、ＣＰＵ、ＲＯＭ、ＲＡＭ、及び、Ｉ／Ｏ等を備えたマイクロコンピュータを用いて構成されている。
また、図２に示すように、制御装置100の入力側には、スタートスイッチ40、ストップスイッチ50、マックスベットスイッチ34、精算スイッチ36、後述する第1検出手段92、第２検出手段94などが接続され、制御装置100の出力側には、リールユニット60、貯留払出手段24、演出用ランプ78、スピーカー72、表示装置84及び後述する搬送手段90などが接続されている。
【００２６】
さらに、制御装置100は、ＣＰＵがＲＯＭに記憶された所定のプログラムを実行することにより、遊技制御手段110、クレジット手段115、計時手段120、メダルカウント手段130、モータ駆動制御手段140、照合手段150及びエラー信号発生手段160などとして機能する。
（第1検出手段92）
第1検出手段92とは、メダル投入口38より投入されたメダルを検出して通過検出信号を出力するためのものであり、前扉14の裏面に取り付けられている。
【００２７】
本実施の形態では、後述の通り、第1検出手段92は、汎用品であるため説明は簡略化するが、たとえば、発光する発光部と発光部から発光される光を受光する受光部とを備えており、この受光部が発光部から発光される光を受光するか否かを感知することで、メダルＭの通過を検出するものである。
すなわち、メダル投入口38にメダルＭが投入されて、そのメダルＭが対向する発光部と受光部との間の空間を通過すると、発光部から発光される光が遮られることとなる。その後、第1検出手段92は、受光部が発光部から発光された光を受光しなかったことを感知することで、メダルＭが第1検出手段92を通過したことを検出する。そして、第1検出手段92がメダルＭの通過を検出したことにより、通過検出信号を出力する。
【００２８】
ここで、第1検出手段92から出力された通過検出信号は、後述するメダルカウント手段130により第1検出手段92を通過したメダル数へと置換され、その置換したメダル数のカウントが行われている。
なお、本実施の形態では、光センサーを第1検出手段92としたが、この構成に限定されず、磁気変動を感知することによりメダルＭの通過を検知する磁気センサー、メダルＭが接触することを感知することによりメダルＭの通過を検知する接触センサー、その他の周知のセンサーなどを用いることができる。
【００２９】
また、上記で列挙したいずれのセンサーを第1検出手段92として用いても、第１検出手段92は、従来から使用されている汎用品のメダルセレクターと同様の構成により形成されている。
さらに、光センサーによるメダルＭの検出方法は、上記方法に限定されず、以下の方法としてもよい。
すなわち、メダル投入口38にメダルＭが投入されて、そのメダルＭが第1検出手段92を通過すると、発光部から発光される光がメダルＭにあたり、メダルＭからの反射光が発光部と同一方向に取りつけられた受光部に照射される。その後、第1検出手段92は、受光部が発光部から発光された光を受光したことを感知することで、メダルＭが第1検出手段92を通過したことを検出する。
【００３０】
（搬送手段90）
搬送手段90とは、メダル投入口38より投入されたメダルＭを滞留させるとともに、第1検出手段92により出力された通過検出信号に基づいて、投入されたメダルＭを下流（第２通路204）に搬送するものであり、前扉14の裏面に取り付けられ、かつ、第1検出手段92よりも下流側に位置している。
本実施の形態では、搬送手段90は、図３〜図８に示すように、その回転により第1検出手段92を通過したメダルＭを下流（第２通路204）に搬送する回転ディスク210と、この回転ディスク210を駆動させるためのモータ214とからなる回転搬送装置が用いられている。また、図３〜図８に示すように、回転ディスク210には、第1検出手段92を通過したメダルＭを１枚づつ収納可能なメダル収納部212が形成されている。
【００３１】
ここで、図３〜図７は、一枚のメダルＭがメダル投入口38に投入され、そのメダルＭが搬送手段90を経由して下流（第２通路204）に搬送されるまでの一連の流れを示したものである。また、図８は、メダル投入口38に複数のメダルＭが投入され、その複数のメダルＭが搬送手段90内に滞留している状態を示したものである。これらの詳細については後述する。
（回転ディスク210）
回転ディスク210は、第1検出手段92を通過したメダルＭをその回転により、上流（第１通路202）から下流（第２通路204）に搬送するためのものであり、メダル通路200の前面に摺接するように設けられている。また、回転ディスク210は、図３〜図８に示すように、円板状の部材である。
【００３２】
（モータ214）
モータ214は、回転ディスク210を回転駆動させるためのものであり、図３〜図８に示すように、回転ディスク210の後方に取り付けられている。
このモータ214は、図５、図６示すように、その回転により、回転ディスク210を所定方向（本実施の形態では、反時計回り）に回転させている。なお、モータ214及び回転ディスク210の回転方向は限定されるものではなく、時計回りにこれらを回転させることも可能である。
【００３３】
また、このモータ214の駆動は、後述するモータ駆動制御手段140により制御される。そして、モータ214が駆動しているとき、回転ディスク210が一定速度で反時計回りに回転するようになっている。
（メダル収納部212）
メダル収納部212は、第1検出手段92を通過したメダルＭを収納可能な直径を有する円形孔であって、回転ディスク210の表面から裏面までを貫通して形成されている。
具体的には、メダル収納部212の直径は、メダルＭの直径（２５ｍｍ）よりも若干大きい寸法となっている。また、メダル収納部212の深さは、メダルＭの厚さ（１．６ｍｍ）よりも若干小さい寸法となっている。なお、上述の如く、メダル収納部212は、回転ディスク210の表面から裏面までを貫通して形成した円形孔であるため、メダル収納部212の深さは、回転ディスク210の厚さと等しい。すなわち、回転ディスク210の厚さが、メダルＭの厚さ（１．６ｍｍ）よりも若干小さい寸法となっている。
【００３４】
また、メダル収納部212は、４個形成されている。そして、これら４個のメダル収納部212は、円周方向に等間隔となるように配置されている。
なお、メダル収納部212の形成個数は、４個に限定されるものではなく、また、メダル収納部212の形状は、円形孔に限定されるものではなく、たとえば、回転ディスク210の外縁をＵ字型に切り欠いた切り欠きとすることも可能である。
ここで、回転ディスク210は、モータ214に接続されているため、モータ214が駆動しているときは、モータ214の回転に伴って、回転ディスク210も一定速度で反時計回りに回転するように構成されている。
【００３５】
そして、メダル収納部212に収納されたメダルＭは、回転ディスク210の回転により、円弧状の軌道を描きながら一定速度で下流まで搬送される。
なお、上記搬送手段90により行われるメダルＭの搬送方法については後述する。
（第２検出手段94）
第２検出手段94とは、搬送手段90により搬送されたメダルを検出して通過検出信号を出力するためのものであり、前扉14の裏面に取り付けられ、かつ、搬送手段90よりも下流側に位置している。
【００３６】
本実施の形態では、第２検出手段94は、第１検出手段92と同様、汎用品であるため説明は簡略化するが、たとえば、発光する発光部と発光部から発光される光を受光する受光部とを備えており、この受光部が発光部から発光される光を受光するか否かを感知することで、メダルＭの通過を検出するものである。
すなわち、搬送手段90によりメダルＭが搬送されて、そのメダルＭが対向する発光部と受光部との間の空間を通過すると、発光部から発光される光が遮られることとなる。その後、第２検出手段94は、受光部が発光部から発光された光を受光しなかったことを感知することで、メダルＭが第２検出手段94を通過したことを検出する。そして、第２検出手段94がメダルＭの通過を検出したことにより、通過検出信号を出力する。
【００３７】
ここで、第２検出手段94から出力された通過検出信号は、後述するメダルカウント手段130により第２検出手段94を通過したメダル数へと置換され、その置換したメダル数のカウントが行われている。
なお、本実施の形態では、光センサーを第２検出手段94としたが、この構成に限定されず、磁気変動を感知することによりメダルＭの通過を検知する磁気センサー、メダルＭが接触することを感知することによりメダルＭの通過を検知する接触センサー、その他の周知のセンサーなどを用いることができる。
【００３８】
また、上記で列挙したいずれのセンサーを第２検出手段94として用いても、第２検出手段94は、従来から使用されている汎用品のメダルセレクターに設けられた検出手段と同様の構成により形成されている。
さらに、光センサーによるメダルＭの検出方法は、上記方法に限定されず、以下の方法としてもよい。
すなわち、搬送手段90によりメダルＭが搬送されて、そのメダルＭが第２検出手段94を通過すると、発光部から発光される光がメダルＭにあたり、メダルＭからの反射光が発光部と同一方向に取りつけられた受光部に照射される。その後、第２検出手段94は、受光部が発光部から発光された光を受光したことを感知することで、メダルＭが第２検出手段94を通過したことを検出する。
【００３９】
（遊技制御手段110）
遊技制御手段110は、遊技機10における遊技を制御するためのものである。
また、遊技制御手段110は、図２に示すクレジット手段115の他、特に図示していないが、一般的な遊技である通常遊技を制御するための通常遊技制御手段、通常遊技よりも有利な遊技である特別遊技（ビッグボーナスゲーム、レギュラーボーナスゲーム、アシストタイム、リプレイタイム、アシストリプレイタイムなど）を制御するための特別遊技制御手段、予め定めた抽選確率に基づいて、予め定められた当選役に関する抽選を行うための役抽選手段、各回転リール62の回転停止を制御するための停止制御手段、及び、役抽選手段の抽選結果と回転リール62の停止図柄とに基づいて、入賞判定処理を行うための入賞判定手段、所定の場合に貯留払出手段24を制御してメダルの払出しを行うメダル払出手段などを備えている。
【００４０】
（クレジット手段115）
クレジット手段115とは、第１検出手段92から出力される通過検出信号に基づいて、最大クレジットメダル数（５０枚）の範囲内で、投入されたメダル数を遊技機10内部にクレジットとして電子的に貯留するものである。
具体的には、クレジット手段115は、メダルＭが遊技に必要な最大投入枚数（例えば、３枚）を超えて投入された場合に、超過分のメダルＭが第１検出手段92を通過したことを示す通過検出信号が出力されることに基づいて、その超過分のメダル数のカウント及び記憶を行う。そして、クレジット手段115は、最大クレジットメダル数（５０枚）の範囲内で、その記憶したメダル数に応じて、クレジット表示器85に表示されている数値を増加させる。また、本実施の形態においては、第1検出手段92がメダルＭを検出した際に、その検出されたメダルＭがクレジット枚数へ加算されることとしている。
【００４１】
また、前述の通り、クレジットされているメダル数が最大クレジットメダル数である５０枚未満の場合に、入賞等によりメダルＭを獲得すると、５０枚に到達するまで、獲得したメダルＭはメダル払出口28から払い出されずにクレジットメダルの枚数に加算される。
（計時手段120）
計時手段120は、所定時からの経過時間を計時することで、後述するモータ駆動制御手段140が搬送手段90の駆動を停止させるか否かを決定するための指針となるものであり、制御装置100を構成するマイクロコンピュータが有する内部タイマを用いて計時を行っている。なお、計時手段120は計時を開始する前に、初期設定として、計時時間の値をクリアして「０」にしている。
【００４２】
本実施の形態では、計時手段120は、メダル投入口38にメダルＭが投入されて、第1検出手段92をメダルＭが通過したことを契機として、計時を開始する。すなわち、計時手段120は、第1検出手段92をメダルＭが通過し、第1検出手段92により通過検出信号が出力されたことに基づいて計時を開始する。
このとき、計時手段120は、第1検出手段92から出力される一の通過検出信号につき、所定値（たとえば、３秒）の計時を行うこととしており、他の通過検出信号が出力されると、所定値を累積的に加算して（たとえば、６秒、９秒、１２秒）、計時を行っている。換言すれば、計時手段120は、第1検出手段92で検出されたメダルＭが搬送手段90により上流（第１通路202）から下流（第２通路204）へ搬送可能な時間が経過したかについての計時を行っている。
【００４３】
そして、計時手段120は、計時した時間の値が累積的に加算された所定値を経過したときには、計時を終了する。また、計時手段120が計時を終了すると、後述するモータ駆動制御手段140によりモータ214の駆動が停止され、それに伴い搬送手段90の駆動も停止する。
なお、後述するモータ駆動制御手段140により搬送手段90の駆動が停止される契機は、上述したものには限定されず、たとえば、以下の契機に基づいてその駆動を停止してもよい。
【００４４】
具体的には、計時手段120は、第1検出手段92から所定時間（たとえば、１秒）通過検出信号が出力されない、すなわち、第１検出手段92が所定時間（たとえば、１秒）メダルＭを検出しない場合に計時を開始する。そして、第１検出手段92により最後に検出されたメダルＭが搬送手段90により上流（第１通路202）から下流（第２通路204）へ搬送可能な時間が経過すると、後述するモータ駆動制御手段140によりモータ214の駆動が停止され、それに伴い搬送手段90の駆動も停止する。
つまり、言い換えれば、後述するモータ駆動制御手段140は、第１検出手段92により検出されたメダル数に基づいてモータ214を制御する。
【００４５】
（メダルカウント手段130）
メダルカウント手段130とは、第1検出手段92及び第２検出手段94により出力された通過検出信号に基づいて、メダル数のカウントを行うものである。
本実施の形態では、メダルカウント手段130は、第1検出手段92と第２検出手段94とからの通過検出信号を各々カウントする記憶領域を有している。
すなわち、メダルカウント手段130は、メダルＭが第1検出手段92を通過したことに基づき、第1検出手段92から通過検出信号が出力されると、第1検出手段92専用の記憶領域にその通過したメダル数をカウントして、累積的に記憶している。また、メダルカウント手段130は、メダルＭが第２検出手段94を通過したことに基づき、第２検出手段94から通過検出信号が出力されると、第２検出手段94専用の記憶領域にその通過したメダル数をカウントして、累積的に記憶している。そして、メダルカウント手段130がカウントしている各々のメダル数は、後述する照合手段150によりそれらが一致するか否かの照合が行われる。
【００４６】
なお、メダルカウント手段130のカウントは上述したものには限定されず、第１検出手段92から通過検出信号が出力されると累積的にカウントするとともに、第２検出手段94から通過検出信号が出力されると、記憶されているメダル数を減算して、後述する照合手段150により記憶されているメダル数がゼロか否かを照合するようにしてもよい。
（モータ駆動制御手段140）
モータ駆動制御手段140とは、第1検出手段92がメダルＭの投入を検知したことに基づいて、モータ214の駆動を開始し、所定条件を満たすことを契機として、モータ214の駆動を終了させる制御を行うものである。
【００４７】
本実施の形態では、モータ駆動制御手段140は、第1検出手段92により通過検出信号が出力されたことに基づいて、モータ214の駆動を開始することとしている。また、モータ駆動制御手段140は、計時手段120により計時された時間の値が、所定値に達したことを制御装置100が判定した場合に、モータ214の駆動を終了させることとしている。
（照合手段150）
照合手段150とは、第1検出手段92からの通過検出信号に基づいて、メダル投入口38から投入されたメダル数を計数するとともに、第２検出手段94からの通過検出信号に基づいて、搬送手段90により搬送されたメダル数を計数し、両メダル数の照合を行うものである。この両メダル数の照合を行うタイミングは特に限定されるものではないが、早期に不正行為を検知すべく、計時手段120が計時を行う第1検出手段92が出力する各通過検出信号についての所定値（たとえば、３秒）を経過毎に行うことが望ましい。何故なら、通常では所定値（たとえば、３秒）を経過した場合、第1検出手段92を通過したメダルＭは、第２検出手段94を通過しているはずだからである。
【００４８】
本実施の形態では、照合手段150は、第1検出手段92から出力された通過検出信号に基づき、メダルカウント手段130によりカウントされたメダル数（以下、「第１メダル数」とする。）と、第２検出手段94から出力された通過検出信号に基づき、メダルカウント手段130によりカウントされたメダル数（以下、「第２メダル数」とする。）との照合を行う。
この照合の結果、第１メダル数と第２メダル数とが一致する場合には、そのまま遊技進行が行われ、一方で第１メダル数と第２メダル数とが不一致である場合には、後述するエラー信号発生手段160により、エラー信号が発せられる。
【００４９】
なお、前述の通り、第１検出手段92から通過検出信号に基づいてメダル数をカウントアップ、第２検出手段94から通過検出信号に基づいてカウントダウンする場合、記憶されているメダル数がゼロでない場合には、後述するエラー信号発生手段160により、エラー信号が発せられるようにしてもよいし、第1検出手段92から通過検出信号が出力されなくなってから所定時間経過後に照合するようにしてもよい。
（エラー信号発生手段160）
エラー信号発生手段160とは、照合手段150による照合により、第１メダル数と、第２メダル数とが不一致と判断された場合に、エラー信号を発するものである。また、エラー信号発生手段160は、第1検出手段92又は第２検出手段94が出力する通過検出信号に基づいて制御装置100がメダルＭの不正投入などの不正行為を検知した場合には、照合手段150による照合を待たずに、エラー信号を発する。
【００５０】
本実施の形態では、エラー信号発生手段160は、エラー信号を制御装置100の出力側に拡散して発することとしており、その結果、たとえば以下の方法により不正行為事実が外部に発信されることとしている。
（１）エラー信号が発せられると、演出用ランプ78により通常とは異なる点灯が行われる（たとえば、赤色で点滅をさせる等）。
（２）エラー信号が発せられると、スピーカー72により通常とは異なる音が発せられる（たとえば、サイレンのような音等）。
【００５１】
（３）エラー信号が発せられると、表示装置84に不正行為事実が表示される（たとえば、「cheating」など）。
なお、上記の対応はあくまでも例示列挙であり、これらの構成を複数組み合わせることも可能であるし、その他の方法を用いて外部に不正行為事実を発信することも可能である。
また、エラー信号が発せられると、モータ駆動制御手段140により、搬送手段90を停止させたり、逆方向に駆動させたりするなどして、メダルＭの下流（第２通路204）への搬送をキャンセルし、遊技店のさらなる被害を防止することも可能である。
【００５２】
（遊技の流れの説明）
本実施の形態に係る遊技機10は、マックスベットスイッチ34の操作又はメダル投入により所定枚数のメダルＭを投入することにより遊技の開始を可能とするものである。そして、スタートスイッチ40の押下操作により、回転リール62の回転を開始させて遊技が開始される。
ここで、図３に示すように、メダル投入口38から投入されたメダルＭは、その自重により第１通路202を通過して下流に流れ、搬送手段90を経由して第２通路204の出口から、たとえば貯留払出手段24に落下する。
【００５３】
本発明は、搬送手段90よりも上流の第１通路202側に第1検出手段92を、搬送手段90よりも下流の第２通路204側に第２検出手段94を設けた２段階センサーによるものである。そして、照合手段150による照合の結果、第１メダル数と第２メダル数とが不一致と判断された場合には、エラー信号発生手段160によりエラー信号が発せられるものである。
以下、メダル投入口38から投入されたメダルＭが上流（第１通路202）から下流（第２通路204）へ搬送されるまでの流れを、第１メダル数と第２メダル数とが一致する場合と不一致である場合とを踏まえて説明していく。
【００５４】
まず、図３に示すように、遊技者によりメダル投入口38にメダルＭが投入され、第１通路202を流れていき、第1検出手段92を通過する（図４参照）。ここで、メダルＭが第1検出手段92を通過すると、第1検出手段92により通過検出信号が出力され、この通過検出信号の出力に基づいて、モータ駆動制御手段140により搬送手段90が始動される。また、通過検出信号の出力に基づいて、第1検出手段92により検出されたメダル数が最大投入枚数（３枚）に達していない場合は、１枚のメダルの投入とし、最大投入枚数（３枚）に達している場合は、クレジット手段115により、最大クレジットメダル数（５０枚）の範囲内でクレジット枚数へ加算されるとともに、メダルカウント手段130により、当該通過したメダル数が第１メダル数にカウントされる。さらに、通過検出信号の出力に基づいて、計時手段120により所定値（たとえば、３秒）の計時が開始される。
【００５５】
続いて、第1検出手段92を通過したメダルＭは、回転ディスク210に形成されたメダル収納部212に収納され、当該メダルＭを収納したメダル収納部212が反時計回りに約半回転すると、回転ディスク210に形成された図示しない突起部にメダルＭが接触して、メダル収納部212からメダルＭが第２通路204上に落下し、さらに下流へ流れていく（図５、図６参照）。
その後、図７に示すように、搬送手段90を通過したメダルＭは、第２検出手段94を通過する。すると、第２検出手段94は、メダルＭが第２検出手段94を通過したことを伝達する通過検出信号を出力し、この通過検出信号の出力に基づいて、メダルカウント手段130により、当該通過したメダル数が第２メダル数にカウントされる。
【００５６】
そして、メダルカウント手段130が第２メダル数のカウントを行ったことに基づいて、照合手段150により、第1検出手段92及び第２検出手段94を通過した両メダル数の照合が行われる。
照合手段150による照合の結果、第１メダル数と第２メダル数とが一致すると判断された場合には、そのまま遊技進行が行われる。
一方、照合手段150による照合の結果、第１メダル数と第２メダル数とが不一致であると判断された場合には、エラー信号発生手段160により、エラー信号が発せられ、演出装置70等を通じて不正行為の事実が外部に発信される。
【００５７】
ここで、上記では図３〜図７を参照して、一枚のメダルＭがメダル投入口38に投入され、そのメダルＭが搬送手段90を経由して下流（第２通路204）に搬送されるまでの一連の流れを説明したが、複数のメダルＭがメダル投入口38に投入された場合には、以下のように処理される（図８参照）。なお、投入されたメダルＭが、第1検出手段92を通過するまでの流れは、上述したものと同様のため、説明を割愛する。
上述のように、計時手段120は、投入されたメダルＭが第１検出手段92を通過したことに基づき、第１検出手段92により通過検出信号が出力されると、所定値（たとえば、３秒）の計時を開始する。また、計時手段120は、後続する他のメダルＭが第１検出手段92を通過すると、第１検出手段92から他の通過検出信号が出力されることに基づいて、所定値を累積的に加算して（たとえば、６秒、９秒、１２秒）、計時を行う。
【００５８】
ここで、上述のように、所定値は、メダルＭが搬送手段90により上流（第１通路202）から下流（第２通路204）へ搬送可能な時間の目安を示したものであり、たとえば、通過したメダルＭが２枚であれば、計時手段120は、「６秒間」を計時している。また、この所定値に対応して、モータ駆動制御手段140によるモータ214の駆動の制御が行われている。
すなわち、モータ駆動制御手段140は、計時手段120が計時している所定値に対応したメダル数分（たとえば、所定値が６秒なら２枚のメダル）だけ、回転ディスク210が回転するようにモータ214の駆動を制御している。
【００５９】
そして、モータ駆動制御手段140は、計時手段120による計時が終了したことに基づいて、モータ214の駆動を停止させ、それに伴い搬送手段90の駆動を停止させる。
なお、搬送手段90を経由して、投入されたメダルＭが下流（第２通路204）に搬送された後の流れについても、上述したものと同様のため、説明を割愛する。
（図１２を用いた検出処理の説明）
図１２に示すフローチャートに基づいて、メダル投入口38から投入された媒体に対して行われる検出処理について説明する。
【００６０】
ステップS10において、第1検出手段92によりメダルＭが検出されたか、すなわち第1検出手段92により通過検出信号が出力されたか否かの判定が行われる。ここで、第1検出手段92により通過検出信号が出力されたと判定されると、次のステップS11に進む。一方、第1検出手段92により通過検出信号が出力されたと判定されないと、再度ステップS10に戻る。
ステップS11において、第1検出手段92により出力された通過検出信号に基づいて、メダルＭが最大投入枚数（３枚）に達していない場合は、１枚のメダル投入とされ、メダルＭが最大投入枚数（３枚）に達している場合は、クレジット手段115により、最大クレジットメダル数（５０枚）の範囲内で当該検出されたメダル数がクレジット枚数へ加算される。そして、次のステップS12に進む。
【００６１】
ステップS12において、第1検出手段92により出力された通過検出信号に基づいて、モータ駆動制御手段140により、搬送手段90の駆動が開始される。すなわち、モータ駆動制御手段140により、モータ214の駆動が開始され、第1検出手段92を通過したメダルＭがメダル収納部212に収納された後、回転ディスク210が回転することで、第２検出手段94が位置する下流（第２通路204）へ搬送される。その後、次のステップS13に進む。
ステップS13において、メダルカウント手段130によりカウントされた第１メダル数と第２メダル数とが一致するか否かの検出メダル照合処理が照合手段150により行われる。その後、次のステップS14に進む。
【００６２】
なお、ステップS13の前提として、搬送手段90により搬送されたメダルＭが第２検出手段94を通過して、第２検出手段94により通過検出信号が出力されている。
ステップS14において、遊技制御手段110により、スタートスイッチ40の操作があったか否かの判定が行われる。ここで、スタートスイッチ40の操作があったと判定されると、遊技制御手段110により、賭け数の設定が不可能な状態とされる。その後、次のステップS15に進む。一方、スタートスイッチ40の操作がないと判定されると、再度ステップS10となる。
【００６３】
なお、このステップS14の前提として、賭け数設定処理が行われている。この賭け数設定処理では、賭け数として規定の賭け数が設定されたか否かが判定されるものである。具体的には、遊技制御手段110により、当該遊技の賭け数として設定されているメダルの枚数が規定の賭け数（３枚）に達しているか否かの判定が行われる。
ステップS15において、メダルカウント手段130によりカウントされた第１メダル数と第２メダル数とが一致するか否かの検出メダル照合処理が照合手段150により行われる。その後、次のステップS16に進む。
【００６４】
ステップS16において、遊技制御手段110により、予め定めた抽選確率に基づいて、予め定められた当選役に関する役抽選が行われた後、リールユニット60における回転リール62の回転が開始される遊技開始処理が行われる。その後、次のステップS17に進む。
ステップS17において、回転リール62が所定の回転速度に達した後、遊技制御手段110により、回転中の回転リール62に対応するストップスイッチ50の操作があったか否かが判断される。ここで、ストップスイッチ50の操作があったと判定されると、次のステップS18に進む。一方、ストップスイッチ50の操作がないと判定されると、再度ステップS15となる。
【００６５】
ステップS18において、メダルカウント手段130によりカウントされた第１メダル数と第２メダル数とが一致するか否かの検出メダル照合処理が照合手段150により行われる。その後、次のステップS19に進む。
ステップS19において、遊技制御手段110により、各回転リール62の回転を停止させるための回胴停止処理が行われる。このときのストップスイッチ50の当選役に対応する押し順は、遊技制御手段110に形成された所定の記憶領域に記憶される。その後、次のステップS20に進む。
【００６６】
ステップS20において、遊技制御手段110により、全回転リール62の回転が停止したか否かが判断される。ここで、全回転リール62の回転が停止したと判定されると、次のステップS21に進む。一方、全回転リール62の回転が停止していないと判定されると、再度ステップS15となる。
ステップS21において、メダルカウント手段130によりカウントされた第１メダル数と第２メダル数とが一致するか否かの検出メダル照合処理が照合手段150により行われる。その後、次のステップS22に進む。
【００６７】
ステップS22において、遊技制御手段110により、役抽選結果と回転リール62の停止図柄とに基づいて、所定の停止位置に所定の役の図柄61の組合せが揃っているか否かの入賞判定処理、及び、この判定結果に対応した払出処理等の遊技終了処理が行われる。なお、判定の結果、払出しが不要な場合には、払出処理は行われない。そして、当該処理を終了する。
（図１３を用いた検出メダル照合処理の説明）
図１３に示すフローチャートに基づいて、図１２に示したステップS13、ステップS15、ステップS18及びステップS21における照合手段150及びエラー信号発生手段160により行われる検出メダル照合処理について説明する。
【００６８】
ステップS30において、メダルカウント手段130によりカウントされた第１メダル数と第２メダル数とが一致するか否かの判定が照合手段150により行われる。ここで、第１メダル数と第２メダル数とが一致すると判定されると、当該処理を終了する（図１２の処理に戻る）。一方、第１メダル数と第２メダル数とが不一致であると判定されると、ステップS31に進む。
ステップS31において、エラー信号発生手段160により、エラー信号が発せされ、このエラー信号に基づいて、演出装置70等を通じて不正行為の事実が外部に発信される。その後、次のステップS32に進む。
【００６９】
ステップS32において、遊技制御手段110により、エラー状態が解除された、すなわち、エラー信号が停止されたか否かが判断される。ここで、エラー状態が解除されたと判定されると、図１２に示したステップS10に進む。一方、エラー状態が解除されていないと判定されると、再度ステップS32となる。
（第２の実施の形態）
以下、図９を参照して、本発明の実施の形態に係る第２の実施の形態を説明する。また、第２の実施の形態において、第１の実施の形態と同一の構成要素には、第１の実施の形態において用いた符号と同一の符号を用いている。そして、第１の実施の形態と重複する部分は説明を省略し、第２の実施の形態における特徴点を中心に説明する。
【００７０】
第２の実施の形態は、第1検出手段92と第２検出手段94との間に不正器具に対する物理的障害となるシャッター手段220（特許請求の範囲に記載の許可手段に相当）を設けた点で、それらの間に搬送手段90を設けた第１の実施の形態と異なっている。
なお、第２の実施の形態のブロック図は、第１の実施の形態のブロック図（図２）の搬送手段90がシャッター手段220に置き換えただけであるため、説明は割愛する。
図９に示すように、第２の実施の形態は、シャッター方式により不正行為を防止するように構成したものである。すなわち、メダル通路200の途中の通路内に進退して、その進出時にメダルＭの阻止及び退出時に通過を許容する、ソレノイド222及びシャッター部材224を有するシャッター手段220が設けられている。また、このシャッター手段220より上流には、メダルＭが通過したことを検出する第1検出手段92が設けられ、シャッター手段220より下流には、メダルＭが通過したことを検出する第２検出手段94が設けられている。
【００７１】
この構成においては、第1検出手段92によりメダルＭの到達が検出された時点でシャッター部材224が退出し、１枚のメダルＭの通過を許容し、この通過後においてシャッター部材224が進出し、メダルＭを１枚ごと下流（第２通路204）へ通過させるものである。そして、シャッター手段220を通過したメダルＭは、第２検出手段94を通過してさらに下流に流れていく構成となっている。
ここで、第２の実施の形態における不正行為の検出又は防止方法は、以下の方法により行われている。
【００７２】
（１）第1検出手段92により出力された通過検出信号に基づいて、エラー信号発生手段160により、不正なメダルＭであると判定されると、エラー信号が発せされ、このエラー信号に基づいて、演出装置70等を通じて不正行為の事実が外部に発信される。
（２）第２検出手段94により出力された通過検出信号に基づいて、エラー信号発生手段160により、不正なメダルＭであると判定されると、エラー信号が発せされ、このエラー信号に基づいて、演出装置70等を通じて不正行為の事実が外部に発信される。
（３）メダルカウント手段130によりカウントされた第１メダル数と第２メダル数とが不一致であると照合手段150により判定されると、エラー信号発生手段160によりエラー信号が発せされ、このエラー信号に基づいて、演出装置70等を通じて不正行為の事実が外部に発信される。
【００７３】
（４）不正メダルを回収すべく、シャッター手段220を通過した不正メダルを上流側（第１通路202）へ移動しようと試みても、進出したシャッター部材224の存在によりその移動が阻止される。
なお、１枚のメダルＭが通過した後においてシャッター部材224が進出するタイミングは、後続のメダルＭを仕切るべく高速で開閉される。
（不正行為検知後の動向についての変形例）
本実施の形態においては、不正行為を検知した場合には、エラー信号発生手段160によりエラー信号が発せされ、このエラー信号に基づいて、演出装置70等を通じて不正行為の事実が外部に発信されることとしたが、不正行為を検知した場合には、遊技制御手段110により、当選役に関する抽選を行わない、入賞処理を行わない等して遊技進行を停止させることとしてもよいし、エラー信号を出力する構成ではなく、第１メダル数と第２メダル数とが一致する場合、記憶されているメダル数がゼロの場合のみ遊技を許可する構成としてもよい。
【００７４】
上記のように遊技進行を停止させる構成とすれば、遊技店の被害を最小限にすることができる。
（搬送手段90についての変形例）
以下、図１０、図１１を参照して、本発明の実施の形態に係る搬送手段90についての変形例を説明する。また、変形例において、上記実施の形態と同一の構成要素には、実施の形態において用いた符号と同一の符号を用いている。そして、実施の形態と重複する部分は説明を省略し、変形例における特徴点を中心に説明する。
【００７５】
（図１０）
図１０は、メダル通路200が上流側の第１通路202と、下流側の第２通路204とに分離されており、これらが流路切り替え手段230（特許請求の範囲に記載の搬送手段に相当）を介してメダルＭの第１通路202から第２通路204への移行を許容する構成とされている。また、メダルＭの第１通路202から第２通路204への移動は流路切り替え手段230により阻止される。さらに、第１通路202には、メダルＭが通過したことを検出する第1検出手段92が設けられ、第２通路204には、メダルＭが通過したことを検出する第２検出手段94が設けられている。
【００７６】
流路切り替え手段230は、天秤体234を有する天秤機構を有し、天秤体234は第１通路202側にメダルＭのメダル受け入れ部238を有し、平時は、図示しない保持手段により、そのメダル受け入れ部238を第１通路202の出口に臨ませるように保持される。なお、天秤体234は、保持手段がなくても、バランスウエイト236による支持軸232を支点とするバランス関係にあり、第１通路202の出口に臨むようになっている。そして、第１検出手段92から通過検出信号が出力されると、保持手段による天秤体234の保持が解除され、メダルＭがメダル受け入れ部238に落下したときそのメダルＭの荷重が作用するのでバランス関係が崩れ、これにより天秤体234が時計方向に転回し、メダル受け入れ部238を第２通路204の入口に臨ませて受け入れたメダルＭを第２通路204内に移行させ、この移行の終了によりバランス関係が元に戻ることで、天秤体234の位置が復元するものであり、第１検出手段92から通過検出信号が出力されている間、保持手段による天秤体234の保持が解除される。
【００７７】
また、第２通路204内に移行したメダルＭは、上流側（第１通路202）への移動は流路切り替え手段230の存在により阻止される。なお、天秤体234の転回時において、後続のメダルＭは、シャッター部材224により第１通路202の出口において待機されるようになっている。
ここで、図１０に示す変形例における不正行為の検出又は防止方法は、以下の方法により行われている。
流路切り替え手段230を通過したメダルＭを上流側（第１通路202）へ移動しようと試みても、第１通路202から第２通路204へのメダルＭの移行の終了によりバランス関係が元に戻ることで、メダル通路200が上流側の第１通路202と下流側の第２通路204とに分離されるためその移動が阻止される。なお、その他の不正行為の検出又は防止方法は、上記第２の実施の形態における（１）〜（３）の方法と同様である。
【００７８】
（図１１）
図１１は、図１０に示す変形例のように、メダル通路200が上流側の第１通路202と、下流側の第２通路204とに分離されており、これらが掛け渡し手段240（特許請求の範囲に記載の搬送手段に相当）を介してメダルＭの第１通路202から第２通路204への移行を許容する構成とされている。また、メダルＭの第１通路202から第２通路204への移動は掛け渡し手段240により阻止される。さらに、第１通路202には、メダルＭが通過したことを検出する第1検出手段92が設けられ、第２通路204には、メダルＭが通過したことを検出する第２検出手段94が設けられている。
【００７９】
掛け渡し手段240は、メダルＭのメダル受け入れ部238と、このメダル受け入れ部238にメダルＭが到達した後、到達したメダルＭを第１通路202の出口から第２通路204の入口まで移動させるソレノイド222などからなる移動手段242とを備える。
この構成においては、第１検出手段92による通過検出信号に基づいて、移動手段242はメダル受け入れ部238を進出させ、メダルＭを第２通路204の入口へ移行させ、この移行後、原位置に復元する構成としてある。
第２通路204内に移行したメダルＭは、上流側（第１通路202）への移動は、メダル通路200が上流側の第１通路202と下流側の第２通路204とに分離されているために阻止される。また、メダル受け入れ部238の進出時において、後続のメダルＭは、メダル受け入れ部238に一体化されたシャッター部材224により第１通路202の出口において待機されるようになっている。
【００８０】
ここで、図１１に示す変形例における不正行為の検出又は防止方法は、以下の方法により行われている。
掛け渡し手段240を通過したメダルＭを上流側（第１通路202）へ移動しようと試みても、第１通路202から第２通路204へのメダルＭの移行の終了後、掛け渡し手段240が原位置に復元することで、メダル通路200が上流側の第１通路202と下流側の第２通路204とに分離されるためその移動が阻止される。なお、その他の不正行為の検出又は防止方法は、上記第２の実施の形態における（１）〜（３）の方法と同様である。
【００８１】
（総括）
以下、本実施の形態における遊技機10の作用効果を説明する。
本実施の形態における遊技機10は、不正器具に対する物理的障害となる搬送手段90の上流に第1検出手段92を設け、さらに搬送手段90の下流に第２検出手段94を設けたため、２段階の検出手段の採用により、不正器具の検出精度が増すこととなるとともに、この不正器具を破壊することも可能となる。すなわち、ＦＰＣ（Flexible printed circuits）のような不正器具であれば、搬送手段90がこれを絡め取ることで破壊できる。また、メダル型不正器具であれば、搬送手段90により糸等を切断することで破壊でき、かつ、遊技店が破壊した不正器具（証拠）を回収することができることとなる。
【００８２】
また、本実施の形態における遊技機10に係る搬送手段90は、回転ディスク210やモータ214などから構成されている回転搬送装置であるため、メダルＭの流路を物理的に切り替える構成とは異なり、後続するメダルＭの詰まりが発生することが少なくなっている。
さらに、本実施の形態によれば、第1検出手段92がメダルＭを検出した際に、その数がクレジット枚数へ加算されるため、遊技者がタイムラグに憤りを覚えることがない上で、搬送手段90を挟んで上流に第1検出手段92、下流に第２検出手段94を設ける構成を採用できるので、遊技者にも配慮しつつ不正器具の検出精度が高い遊技機10を提供することができる。
【００８３】
また、本実施の形態における遊技機10は、第1検出手段92がメダルＭの投入を検知したことに基づき、搬送手段90が始動することにより、迅速に照合手段150が第1検出手段92と第２検出手段94との計数を照合することができ、早期の不正行為の発見に寄与することで遊技店の被害を軽減させることができる。
さらに、本実施の形態における遊技機10は、不正器具に対する物理的障害として、第1検出手段92と第２検出手段94との間に、搬送手段90ではなく、シャッター手段220を設けることも可能である。そのため、同一機種においても、遊技機毎に複数の不正行為対策を選択して採用することもできるので、不正行為者に当該遊技機における不正行為対策の認識を困難とすることができ、遊技店の被害を軽減させることができる。
【符号の説明】
【００８４】
10  遊技機                      12  筐体
14  前扉                        
20  上パネル                    22  下パネル
24  貯留払出手段                26  メダル受け皿
28  メダル払出口
30  操作部                      34  マックスベットスイッチ
36  精算スイッチ                38  メダル投入口
40  スタートスイッチ
50  ストップスイッチ        
60  リールユニット              61  図柄
62  回転リール                  
70  演出装置                      72  スピーカー
74  上部スピーカー                76  下部スピーカー
78  演出用ランプ
80  上部ランプ                    82  下部ランプ
84  表示装置                      85  クレジット表示器
90  搬送手段                      92  第1検出手段
94  第２検出手段                  
100  制御装置                    110  遊技制御手段
120  計時手段                    130  メダルカウント手段
140  モータ駆動制御手段          150  照合手段
160  エラー信号発生手段
200  メダル通路                  202  第１通路
204  第２通路                    
210  回転ディスク                212  メダル収納部
214  モータ                      
220  シャッター手段（許可手段）  222  ソレノイド
224  シャッター部材
230  流路切り替え手段            232  支持軸
234  天秤体                      236  バランスウエイト
238  メダル受け入れ部
240  掛け渡し手段                242  移動手段
【要約】
【課題】従来のセレクターの構成を用いた上で、さらに不正行為の検出精度が増した検出装置を備えた遊技機を提供する。
【解決手段】投入された遊技媒体数を検出する第１検出手段及び第２検出手段を設け、前記第１検出手段の下流には、投入された遊技媒体を滞留させるとともに、該第１検出手段により検出された遊技媒体数に基づいて、投入された遊技媒体を下流に搬送する搬送手段が設けられ、前記第1検出手段及び前記第２検出手段からの信号に基づいて、両遊技媒体数の照合を行う照合手段が設けられ、前記照合手段による照合により、両遊技媒体数が不一致と判断された場合に、エラー信号を発するエラー信号発生手段を備えたことを特徴とする。
【選択図】図８【図１】
0005836529.tif 000002
【図２】
0005836529.tif 000003
【図３】
0005836529.tif 000004
【図４】
0005836529.tif 000005
【図５】
0005836529.tif 000006
【図６】
0005836529.tif 000007
【図７】
0005836529.tif 000008
【図８】
0005836529.tif 000009
【図９】
0005836529.tif 000010
【図１０】
0005836529.tif 000011
【図１１】
0005836529.tif 000012
【図１２】
0005836529.tif 000013
【図１３】
0005836529.tif 000014